(57)【要約】【課題】  可動パネルが開放姿勢となったときに、可動パネルに力が作用しても、可動パネルが外れたり破損するのを防止できる「可動パネルを有する電子機器」を提供することを目的としている。【解決手段】  固定パネル４のパネル本体１０の下部には、板状の突出部１７ａが一体に形成されており、パネルの下部前面１８と突出部１７ａの下面に、補強金属板２０が設けられている。可動パネル５が開放姿勢となったときに、その基端部に位置する当接部４７が、前記補強金属板２０の突き当て片２３に当接する。よって、可動パネル５に大きな力が作用しても、可動パネル５が外れたり破損することが生じにくい。【選択図】図５
2006096087.tif 000002
【特許請求の範囲】
【請求項１】
機器本体の前方に位置して合成樹脂で形成された固定パネルと、基部が前記固定パネルに回動自在に支持された可動パネルとを有し、前記可動パネルは、その先部が前記基部よりも上方に位置して前記固定パネルの前方を覆う閉鎖姿勢と、前記先部が固定パネルよりも前方へ向けて回動した開放姿勢との間で動作する電子機器において、
前記固定パネルの下部に、前方へ突出する突出部が前記合成樹脂によって一体に形成され、前記突出部の下面に補強金属板が固定されており、
前記可動パネルにおける回動支点よりも基端側には、可動パネルが開放姿勢へ回動したときに、前記補強金属板に当接する当接部が設けられていることを特徴とする電子機器。
【請求項２】
前記固定パネルには、前記突出部の下に位置して前方へ向くパネル下部前面が設けられ、前記補強金属板は、前記パネル下部前面および前記突出部の下面の双方に設置されるように折り曲げられている請求項１記載の電子機器。
【請求項３】
前記補強金属板には、前記突出部の下面からさらに下に向けられた突き当て片が設けられており、可動パネルが開放姿勢へ回動したときに、前記当接部が前記突き当て片の先端に当接する請求項１または２記載の電子機器。
【請求項４】
前記当接部には、前記突き当て片の面と直交する断面で見たときに凹部が形成され、この凹部が前記突き当て片の先端に当接する請求項３記載の電子機器。
【請求項５】
前記当接部には、前記突き当て片の面と直交する断面で見たときに、前記突き当て片よりも基端側で隆起する隆起部が設けられている請求項３または４記載の電子機器。
【請求項６】
前記突出部は板状であり、可動パネルが開放姿勢のときに、前記当接部と前記補強金属板とが、前記突出部で覆われる請求項１ないし５のいずれかに記載の電子機器。
【請求項７】
前記可動パネルは、基部の両側部が支持軸を介して前記固定パネルに支持され、前記両側部の中間位置には、前記固定パネルから前方へ突出する中間支持体が設けられて、この中間支持体に可動パネルの中間部が軸支されており、前記中間支持体は、前記固定パネルと別体に形成されて、固定パネルの裏面側から貫通して前方へ突出して取り付けられている請求項１ないし６のいずれかに記載の電子機器。
【請求項８】
前記中間支持体は、ポリアセタール樹脂で形成されている請求項７記載の電子機器。
【請求項９】
前記ポリアセタール樹脂は、固定パネルの色と同系色に着色されている請求項８記載の電子機器。
【発明の詳細な説明】
【技術分野】
【０００１】
本発明は、車載用電子機器などのように、前部に位置する可動パネルが、固定パネルを覆う閉鎖姿勢から前方へ回動して回動姿勢となる電子機器に関する。
【背景技術】
【０００２】
車載用の電子機器は、金属製の筐体がインストルメントパネル内などに埋設され、筐体の前部に設けられたパネル部がインストルメントパネルと同一面の化粧面となるように設置される。
【０００３】
この種の電子機器のパネル部の構造として、筐体の前部に固定された固定パネルと、この固定パネルに回動自在に支持された可動パネルとを有するものが存在している。可動パネルは、固定パネルを覆う閉鎖姿勢と、固定パネルの前方へ向けて回動する回動姿勢とに動作する。通常は、回動姿勢となった状態で、固定パネルに形成された挿入口が現れ、可動パネルを回動姿勢とした状態で、ディスクやカセットテープなどの記録媒体を前記挿入口から挿入できるようになる。
【０００４】
前記可動パネルを回動させる手段としては、以下の特許文献１に記載のようにモータの動力を使用したものや、ばねの力を利用して可動パネルを前方へ回動させるものなどがある。
【特許文献１】特開２００１−３５４０７５号公報
【発明の開示】
【発明が解決しようとする課題】
【０００５】
しかし、前記電子機器では、固定パネルと可動パネルの双方が化粧部として機能し、固定パネルや可動パネルの表面に金属製の部材が現れると見栄えが悪くなるため、前記表面のほとんどが合成樹脂で形成されることが好まれている。
【０００６】
また、可動パネルが開放姿勢となったときに、それ以上可動パネルが回動しないように規制するストッパ機構として、可動パネルの樹脂部分と、固定パネルの樹脂部分とが突き当てられるのが一般的である。
【０００７】
そのため、このストッパ機構の強度が低下することになり、開放姿勢で停止している可動パネルに対して上方から大きな加重や衝撃が与えられると、前記ストッパ部が破損したり、外れるなどの問題が生じやすい。
【０００８】
本発明は、上記従来の課題を解決するものであり、固定パネルと可動パネルの表面に金属部分が目立たないようにし、しかも、開放姿勢となった可動パネルの支持強度を高めることができる電子機器を提供することを目的としている。
【課題を解決するための手段】
【０００９】
本発明は、機器本体の前方に位置して合成樹脂で形成された固定パネルと、基部が前記固定パネルに回動自在に支持された可動パネルとを有し、前記可動パネルは、その先部が前記基部よりも上方に位置して前記固定パネルの前方を覆う閉鎖姿勢と、前記先部が固定パネルよりも前方へ向けて回動した開放姿勢との間で動作する電子機器において、
前記固定パネルの下部に、前方へ突出する突出部が前記合成樹脂によって一体に形成され、前記突出部の下面に補強金属板が固定されており、
前記可動パネルにおける回動支点よりも基端側には、可動パネルが開放姿勢へ回動したときに、前記補強金属板に当接する当接部が設けられていることを特徴とするものである。
【００１０】
本発明の電子機器では、合成樹脂で形成された固定パネルに、固定パネルと一体に形成された合成樹脂製の突出部と、その下面に位置する補強金属板とが設けられ、開放姿勢となった可動パネルがこの補強金属板に当接する。そのため、開放姿勢となった可動パネルの支持強度を高めることができ、可動パネルに上方から大きな加重が作用しても、可動パネルと固定パネルとの突き当て部の破壊を防止しやすくなる。
【００１１】
また、本発明は、前記固定パネルには、前記突出部の下に位置して前方へ向くパネル下部前面が設けられ、前記補強金属板は、前記パネル下部前面および前記突出部の下面の双方に設置されるように折り曲げられているものである。
【００１２】
補強金属板が折り曲げられてパネル下部前面と突出部の下面の双方に設置されていると、この補強金属板によって前記突出部を補強できる。
【００１３】
本発明は、好ましくは、前記補強金属板には、前記突出部の下面からさらに下に向けられた突き当て片が設けられており、可動パネルが開放姿勢へ回動したときに、前記当接部が前記突き当て片の先端に当接するものである。
【００１４】
補強金属板に突き当て片が形成されていると、補強金属板の強度が高くなり、可動パネルの加重が突き当て片の片面に沿う方向へ作用するようになって、可動パネルの当接部を支持する強度がさらに高くなる。
【００１５】
また、本発明は、好ましくは、前記当接部には、前記突き当て片の面と直交する断面で見たときに凹部が形成され、この凹部が前記突き当て片の先端に当接するものである。あるいは、前記当接部には、前記突き当て片の面と直交する断面で見たときに、前記突き当て片よりも基端側で隆起する隆起部が設けられているものである。
【００１６】
上記手段では、可動パネルの当接部が突き当て片の先端に当たった状態で、可動パネルに大きな加重が作用しても、前記当接部が突き当て片の先端から外れるのを防止できるようになる。
【００１７】
また、本発明は、前記突出部は板状であり、可動パネルが開放姿勢のときに、前記当接部と前記補強金属板とが、前記突出部で覆われるものが好ましい。
【００１８】
突出部で補強金属板が覆われることにより、外部から補強金属板が目視できなくなり、固定パネルと可動パネルの外観の見栄えが良くなる。
【００１９】
さらに、本発明は、前記可動パネルは、基部の両側部が支持軸を介して前記固定パネルに支持され、前記両側部の中間位置には、前記固定パネルから前方へ突出する中間支持体が設けられて、この中間支持体に可動パネルの中間部が軸支されており、前記中間支持体は、前記固定パネルと別体に形成されて、固定パネルの裏面側から貫通して前方へ突出して取り付けられているものとすることができる。
【００２０】
前記中間支持体を固定パネルと別体のものとして構成し、この中間支持体を固定パネルを貫通して取り付けることにより、中間支持体の強度を高めることができる。可動パネルが両側の支持軸とこの中間支持体とで支持されることにより、開放姿勢となった可動パネルの支持強度をさらに高めることができる。
【００２１】
好ましくは、前記中間支持体は、ポリアセタール樹脂で形成されているものである。ポリアセタール樹脂は脆性が低いため、可動パネルの支持強度を高めることができる。
【００２２】
さらに、前記ポリアセタール樹脂は、固定パネルの色と同系色に着色されていることが好ましい。ポリアセタール樹脂で形成された中間支持体を塗装ではなく、樹脂そのものを着色することで固定パネルと同系色としている。塗装を行わないことで、中間支持体と可動パネルとの軸支持部の摩擦抵抗を低減でき、可動パネルがスムースに回動できるようになる。
【発明の効果】
【００２３】
本発明の電子機器は、開放姿勢となった可動パネルの支持強度を高めることができる。また、固定パネルと可動パネルの外観に、金属部材が目立つようには現れないため、外観的な見栄えがよくなる。
【発明を実施するための最良の形態】
【００２４】
図１は本発明の実施の形態である車載用電子機器の前方部分を示す部分側面であり、（Ａ）は可動パネルが閉鎖姿勢で、（Ｂ）は可動パネルが開放姿勢の状態を示す。図２は、可動パネルが閉鎖姿勢のときの正面図、図３は可動パネルが開放姿勢のときの正面図、図４は、可動パネルを取り外したときの正面図である。図５は図３のＶ−Ｖ線の断面図、図６は図５の一部拡大断面図、図７は図３のＶＩＩ−ＶＩＩ線の断面図、図８は中間支持体を示す斜視図である。
【００２５】
図１に示すように、車載用の電子機器１は、金属板製の筐体２を有している。この筐体２は、いわゆる１ＤＩＮサイズまたは２ＤＩＮサイズであり、この筐体２が車室内のインストルメントパネルなどに埋設されて設置される。筐体２の内部には、ＣＤやＤＶＤなどを駆動するディスク装置、カセットテープ装置が設置され、さらには各種電子回路が実装された回路基板が設置されている。
【００２６】
筐体２の前方開口部２ａには、ノーズ部と称される化粧パネル部３が固定されている。この化粧パネル部３は、前記筐体２の前方開口部２ａに固定されている固定パネル４と、この固定パネル４に回動自在に支持された可動パネル５とを有している。
【００２７】
前記固定パネル４は、パネル本体１０を有しており、このパネル本体１０は合成樹脂で形成されており、例えばＡＢＳとポリカーボネートとの混合樹脂で射出成型されている。また、パネル本体１０の表面は、黒色などの塗装剤で塗装されて表面のみが着色されている。
【００２８】
図２ないし図４に示すように、パネル本体１０の前面には、枠形状のパネル前面１１が形成され、パネル前面１１に囲まれた領域に、後方へ向けて窪む凹部１２が形成されている。図３に示すように、前記凹部の右内側壁１２ａの下部と、左内側壁１２ｂの下部には、それぞれ軸受穴１６，１６が形成されている。
【００２９】
前記凹部１２の奥面には、上方位置にディスク挿入口１３が貫通して開口し、左下位置にはＰＣカード挿入口１４が貫通して開口している。図５に示すように、ディスク挿入口１３の背部には、上縁部に可撓性シート１５ａが、下縁部に可撓性シート１５ｂが取り付けられ、可撓性シート１５ａと可撓性シート１５ｂとの対向部に、ディスクの挿入スリット１５ｃが形成されている。
【００３０】
なお、前記挿入口１４がカセットテープ等の挿入口であって、その背部には開閉ドアが設けられているものであってもよい。
【００３１】
図４と図５に示すように、パネル本体１０の前面の下方位置には、前記凹部１２の下面１２ｃと連続して前方へ突出する突出部１７ａ，１７ｂが形成されている。この突出部１７ａと突出部１７ｂは、パネル本体１０と一体に樹脂で成型されている。突出部１７ａと突出部１７ｂは、板状であり、前記凹部１２の下面１２ｃに沿って横方向に間隔を空けて形成されている。また、突出部１７ａと突出部１７ｂは、図１に示す筐体２の底面２ｂと平行に形成されている。図４と図５に示すように、前記突出部１７ａ，１７ｂの下には、突出部１７ａ，１７ｂの前端面１７ｃよりも後退した下部前面１８が形成されている。この下部前面１８は、前記筐体２の底面２ｂとほぼ垂直な面である。
【００３２】
図６に拡大して示すように、前記下部前面１８と、突出部１７ａ，１７ｂの下面１７ｄには、補強金属板２０が取り付けられている。この補強金属板２０は、ステンレススチールや鋼板などで形成されており、その表面は、パネル本体１０と同系色に塗装されている。補強金属板２０は、パネル本体１０の下部前面１８に固定される固定板部２１と、この固定板部２１の上部から前方へ向けて直角に折り曲げられた支持板部２２とを有している。さらに前記支持板部２２の前端には、下方へ向けてほぼ直角に曲げられた突き当て片２３が設けられている。図４に示すように、前記突き当て片２３は、左右方向に間隔を空けて三箇所に形成されている。
【００３３】
図４に示すように、補強金属板２０の固定板部２１は、パネル本体１０の前記下部前面１８に設置されて、固定板部２１の複数箇所が固定ねじ２５によって下部前面１８に固定されている。固定ねじ２５による固定作業の際に、支持板部２２が、突出部１７ａ，１７ｂの下面１７ｄに隙間無く突き当てられる。
【００３４】
図４と図７に示すように、パネル本体１０には、右側の前記突出部１７ａと、左側の前記突出部１７ｂとで挟まれた領域に、前後に貫通する四角形の装着穴１９が形成されている。この装着穴１９には、中間支持体３０が取り付けられている。この中間支持体３０は、パネル本体１０とは別体に形成されて、パネル本体１０に組み込まれているものである。
【００３５】
図８に示すように、前記中間支持体３０は、パネル本体１０よりも粘性の高い樹脂で成型後はパネル本体１０よりも脆性が低くなるポリアセタール樹脂で形成されている。ポリアセタール樹脂は樹脂そのものがパネル本体１０と同系色の例えば黒色に着色したものが使用されており、成型後の中間支持体３０に塗装は施されていない。
【００３６】
中間支持体３０は断面が四角形の装着部３１を有しており、図７に示すように、この装着部３１が、パネル本体１０に形成された前記装着穴１９に隙間無く嵌着される。装着部３１の後方には、突き当て面３２が垂直に形成され、この突き当て面３２が、パネル本体１０の背面に突き当てられる。突き当て面３２のさらに後方には、２つの固定部３３，３４が一体に形成されており、図７に示すように、この固定部３３，３４に装着された固定ねじ３５がパネル本体１０の背面に螺着されて、中間支持体３０が固定されている。
【００３７】
中間支持体３０の前記装着部３１の前方には、斜め下に向けて一体に延びる一対の軸支持部３６，３６が設けられており、この軸支持部３６と軸支持部３６との間に中間支持軸３７が一体に形成されている。
【００３８】
前記可動パネル５は、基部５ａが固定パネル４に回動自在に支持されているものであり、図２に示す閉鎖姿勢では、先部５ｂがパネル本体１０の凹部１２の内部に入り込み、前記凹部１２が可動パネル５で塞がれる。また、可動パネル５は、図３、図５および図７に示すように、その先部５ｂが固定パネル４から前方へ離れるように回動して開放姿勢となる。このときに、固定パネル４のパネル本体１０に形成された前記ディスク挿入口１３から筐体２内にディスクを挿入でき、またＰＣカード挿入口１４から筐体２内へＰＣカードを挿入することができる。
【００３９】
図５と図７に示すように、可動パネル５は正面パネル４１と背面パネル４２とを有している。図２に示す閉鎖姿勢のときに、正面パネル４１が前方に向けられ、背面パネル４２がパネル本体１０の凹部１２の奥側に向けられる。正面パネル４１と背面パネル４２は、共にＡＢＳとポリカーボネートとの混合樹脂で形成され、表面が、パネル本体１０と同系色の例えば黒色に塗装されている。また、正面パネル４１と背面パネル４２との間の一部に、金属板４３が補強のために介在しているが、この金属板４３は外部に現れていない。
【００４０】
図３に示すように、可動パネル５を構成している正面パネル４１の基部の両側面には、金属製の支持軸４６，４６が埋設されて固定されており、この支持軸４６，４６が、パネル本体１０の凹部１２の内側壁１２ａ，１２ｂに形成された軸受穴１６，１６に回動自在に支持されている。なお、支持軸４６，４６がパネル本体１０側に固定されて、この支持軸４６，４６に可動パネル５が回動自在に支持されていてもよい。
【００４１】
図７に示すように、可動パネル５の前記両支持軸４６と支持軸４６との間に、中間軸受部４５が設けられている。この中間軸受部４５は、正面パネル４１と一体に形成されている。中間軸受部４５には、軸受凹部４５ａが形成されており、この軸受凹部４５ａが、前記中間支持体３０の中間支持軸３７に回動自在に嵌着されている。
【００４２】
前記支持軸４６，４６の軸支持中心線と、前記中間支持軸３７の軸支持中心線は同一線上に位置しており、図５と図７では、前記軸支持中心線をＯで示している。図５に示すように、可動パネル５の前記軸支時中心線Ｏよりもさらに基端側には、可動パネル５が開放姿勢となったときに、前記補強金属板２０の突き当て片２３の先端に当たる当接部４７が設けられている。この当接部４７の当接端面４７ａには、図６に示すように軸支持中心線Ｏと直交する面で切断した断面図に現れる凹部が形成されている。図６に示す実施の形態では、当接端面４７ａが、突き当て片２３に突き当てられたときに、この突き当て片２３との当接部よりもさらに固定パネル４側（後方側）にて突出部１７ａ，１７ｂに向けて突出する隆起部４７ｂが形成され、その結果当接端面４７ａが凹部となっている。
【００４３】
この実施の形態では、可動パネル５に電装品が装備されておらず、この可動パネル５が、固定パネル４の前記凹部１２を塞ぐ蓋材として機能している。しかし、この可動パネル５内に表示装置や各種電子回路が装備され、可動パネル５の正面パネル４１に表示画面が設けられ、押し釦や回転ノブなどの各種操作部品などが配置されていてもよい。
【００４４】
また、図示省略するが、可動パネル５と固定パネル４との間には、可動パネル５を常に開放姿勢へ向けて付勢するスプリングと、このスプリングの力による可動パネル５の開放動作速度を緩和させるダンパー装置とが設けられている。また可動パネル５と固定パネル４との間には、可動パネル５を図２に示す閉鎖姿勢でロックするロック機構が設けられている。固定パネル４のパネル前面１１の右上部には、ロック解除釦５１が設けられており、このロック解除釦５１を押圧操作することで前記ロック機構のロックが外れるようになっている。
【００４５】
なお、本発明では、前記可動パネル５がモータの動力によって、前記閉鎖姿勢と開放姿勢との間で回動するものであってもよい。
【００４６】
この車載用の電子機器１では、図２に示すように、可動パネル５が固定パネル４の凹部１２を塞ぐ閉鎖姿勢のときに、前記ロック機構によって可動パネル５がロックされる。ロック解除釦５１が操作されロック機構によるロックが解除されると、スプリングの力によって、可動パネル５が、図３、図５および図７に示す開放姿勢へ向けて回動し、図５と図６に示すように、可動パネル５の基端部に設けられた当接部４７が、補強金属板２０の突き当て片２３の先端部に当たって、それ以上回動できないように規制される。
【００４７】
図５と図７に示す開放姿勢の可動パネル５の先部５ｂに対して上方から大きな力や大きな衝撃が与えられたとしても、可動パネル５の基端部の当接端面４７ａが、金属製の突き当て片２３に当接しているため、可動パネル５が破損したり不用意に外れることが生じにくい。補強金属板２０は、その上部が合成樹脂製の突出部１７ａ，１７ｂで支えられ、しかも突き当て片２３は片面がほぼ垂直に延びているため、当接端面４７ａから大きな突き当て力が与えられても、補強金属板２０の支持板部２２と突出部１７ａ，１７ｂとの積層構造で、その力に対して大きな耐力を発揮できる。
【００４８】
また、前記当接端面４７ａは凹形状であり、さらに詳しくは突き当て片２３の奥側に位置する隆起部４７ｂが形成されているため、図５、図６の状態で、可動パネル５に大きな力が作用しても、当接端面４７ａが突き当て片２３から外れるのを防止しやすい。
【００４９】
また、可動パネル５はその両側部が金属製の支持軸４６，４６で支持されているとともに、前記支持軸４６と支持軸４６との中間において、中間支持体３０と中間軸受部４５とが回動自在に連結されている。可動パネル５の回動範囲内においては、中間支持体３０の中間支持軸３７と、中間軸受部４５の軸受凹部４５ａとが外れないように構成されているため、開放姿勢の可動パネル５に大きな力が作用しても、支持軸４６と支持軸４６との中間部が固定パネル４から外れることが起きにくい。
【００５０】
また、中間支持体３０は、固定パネル４のパネル本体１０とは別体に形成されたもので、パネル本体１０を貫通するように装着されているため、開放姿勢の可動パネル５に大きな力が作用しても、中間支持体３０が破壊されにくい。
【００５１】
例えば、前記中間支持体３０がパネル本体１０と一体に成型されたものであると、前方へ隆起する中間支持体３０とパネル本体１０の前面との境界部に応力が集中してその部分で破損しやすくなる。しかし、中間支持体３０を別体に形成しておくことによって、このような破損が生じるのを防止できる。さらに、中間支持体３０がポリアセタール樹脂で形成されているため、パネル本体１０よりも脆性が低くなり、可動パネル５を支える耐久力が高くなっている。また、中間支持体３０が着色された樹脂で形成されて、表面に塗装面が存在していないために、軸受凹部４５ａとの摺動が滑らかであり、回動摺動音が発生されにくい。
【００５２】
また、図４に示すように、前記補強金属板２０で形成された突き当て片２３は、中間支持体３０の左右両側に配置され、また補強金属板２０の支持板部２１を支える突出部１７ａと１７ｂが、中間支持体３０を挟んで左右両側に配置されているため、突き当て片２３の支持耐力と前記中間支持体３０の支持耐力とにより、可動パネル５を確実に支持できるようになる。
【００５３】
図５に示すように、可動パネル５が開放姿勢のときに、板状の突出部１７ａ，１７ｂが補強金属板２０の上方を完全に覆っており、また突き当て片２３と、可動パネル５の当接部４７との突き当て部も突出部１７ａ，１７ｂで覆われている。金属部分が、合成樹脂製の突出部１７ａ，１７ｂで覆われて外部から見えないように、または見えにくいように隠されているため、常に外部からの見栄えが良くなっている。
【図面の簡単な説明】
【００５４】
【図１】本発明の実施の形態の車載用の電子機器の前方部分を示す断面図であり、（Ａ）は可動パネルが閉鎖状態、（Ｂ）は可動パネルが開放状態である。
【図２】可動パネルが閉鎖状態のときの正面図である。
【図３】可動パネルが開放状態のときの正面図である。
【図４】可動パネルを外した状態を示す正面図である。
【図５】図３のＶ−Ｖ線の断面図である。
【図６】図５の一部拡大断面図である。
【図７】図３のＶＩＩ−ＶＩＩ線の断面図である。
【図８】中間支持体の斜視図である。
【符号の説明】
【００５５】
１  電子機器
２  筐体
３  化粧パネル部
４  固定パネル
５  可動パネル
１０  パネル本体
１２  凹部
１３  ディスク挿入口
１４  ＰＣカード挿入口
１７ａ，１７ｂ  突出部
１８  下部前面
２０  補強金属板
２１  固定板部
２２  支持板部
２３  突き当て片
３０  中間支持体
３７  中間支持軸
４１  正面パネル
４２  背面パネル
４５  中間軸受部
４６  支持軸
４７  当接部
４７ａ  当接端面
４７ｂ  隆起部
【図１】
2006096087.tif 000003
【図２】
2006096087.tif 000004
【図３】
2006096087.tif 000005
【図４】
2006096087.tif 000006
【図５】
2006096087.tif 000007
【図６】
2006096087.tif 000008
【図７】
2006096087.tif 000009
【図８】
2006096087.tif 000010